(57)【要約】【課題】パンツ型使い捨ておむつのベルト部において厚さ方向の一方側に突出する凸部の大きさ及びクッション性のばらつきを抑制すること。【解決手段】パンツ型使い捨ておむつ（１）であって、ベルト部（２１、２２）は厚さ方向の一方側から第１非伸縮性シート（２１３、２２３）と伸縮性不織布（２１５、２２５）と伸縮性フィルム（３１）と第２非伸縮性シート（２１４、２２４）とが積層された積層部（３０）を有し、伸縮性不織布（２１５、２２５）及び伸縮性フィルム（３１）は左右方向に伸縮し、伸縮性不織布（２１５、２２５）は伸縮性繊維と非伸縮性繊維とを含み、積層部（３０）は伸縮性不織布（２１５、２２５）が左右方向に伸長している状態で第１非伸縮性シート（２１３、２２３）に接合されている接合部（４０）を左右方向に間隔をあけて複数有すること。【選択図】図３
2020081461.tif 000002
【特許請求の範囲】
【請求項１】
互いに交差する上下方向と左右方向と前後方向を有し、
ベルト部と、吸収性本体と、を備えたパンツ型使い捨ておむつであって、
前記ベルト部は、その厚さ方向の一方側から、第１非伸縮性シートと、伸縮性不織布と、伸縮性フィルムと、第２非伸縮性シートとが積層された積層部を有し、
前記伸縮性不織布、及び、前記伸縮性フィルムは、前記左右方向に伸縮し、
前記伸縮性不織布は、伸縮性繊維と、非伸縮性繊維とを含み、
前記積層部は、前記伸縮性不織布が前記左右方向に伸長している状態で前記第１非伸縮性シートに接合されている接合部を、前記左右方向に間隔をあけて複数有することを特徴とするパンツ型使い捨ておむつ。
【請求項２】
請求項１に記載のパンツ型使い捨ておむつであって、
前記積層部は、前記伸縮性不織布、及び、前記伸縮性フィルムが前記左右方向に伸長している状態で互いに接合されている第２の接合部を、前記左右方向に間隔をあけて複数有することを特徴とするパンツ型使い捨ておむつ。
【請求項３】
請求項２に記載のパンツ型使い捨ておむつであって、
前記積層部は、前記伸縮性フィルムが前記左右方向に伸長している状態で前記第２非伸縮性シートに接合されている第３の接合部を、前記左右方向に間隔をあけて複数有することを特徴とするパンツ型使い捨ておむつ。
【請求項４】
請求項３に記載のパンツ型使い捨ておむつであって、
前記接合部、前記第２の接合部、及び前記第３の接合部の前記左右方向の各位置が揃っていることを特徴とするパンツ型使い捨ておむつ。
【請求項５】
請求項４に記載のパンツ型使い捨ておむつであって、
前記接合部、前記第２の接合部、及び前記第３の接合部は、溶着によって接合されており、
前記第１非伸縮性シートと、前記伸縮性不織布と、前記伸縮性フィルムと、前記第２非伸縮性シートのうちの少なくとも１つは、ポリプロピレン樹脂を含有することを特徴とするパンツ型の使い捨ておむつ。
【請求項６】
請求項１から５の何れか１項に記載のパンツ型使い捨ておむつであって、
前記積層部において、前記接合部は前記上下方向に間隔をあけて複数配置されていることを特徴とするパンツ型使い捨ておむつ。
【請求項７】
請求項６に記載のパンツ型使い捨ておむつであって、
前記左右方向に隣り合う前記接合部の間隔が一定であり、
前記上下方向に隣り合う前記接合部の間隔が一定であることを特徴とするパンツ型使い捨ておむつ。
【請求項８】
請求項１から７の何れか１項に記載のパンツ型使い捨ておむつであって、
前記厚さ方向の前記一方側は、着用者の肌側であることを特徴とするパンツ型使い捨ておむつ。
【請求項９】
請求項１から７の何れか１項に記載のパンツ型使い捨ておむつであって、
前記厚さ方向の前記一方側は、着用者の非肌側であることを特徴とするパンツ型使い捨ておむつ。
【請求項１０】
請求項１から９の何れか１項に記載のパンツ型使い捨ておむつであって、
前記ベルト部は、前記伸縮性フィルムが配置されていない非配置部を有し、
前記非配置部は、前記伸縮性不織布が前記左右方向に伸長している状態で、前記第１非伸縮性シート及び前記第２非伸縮性シートに接合されている第４の接合部を、前記左右方向に間隔をあけて複数有することを特徴とするパンツ型使い捨ておむつ。
【請求項１１】
請求項１０に記載のパンツ型使い捨ておむつであって、
前記ベルト部は、着用者の腹側に配置される前側ベルト部と、着用者の背側に配置される後側ベルト部と、前記前側ベルト部の前記左右方向の両側部と前記後側ベルト部の前記左右方向の両側部とが係止された一対の係止部と、を備え、
前記上下方向に前記係止部と重複する前記ベルト部の部位において、前記積層部の面積の方が前記非配置部の面積よりも小さいことを特徴とするパンツ型使い捨ておむつ。
【請求項１２】
請求項１０又は１１に記載のパンツ型使い捨ておむつであって、
前記ベルト部は、着用者の腹側に配置される前側ベルト部と、着用者の背側に配置される後側ベルト部と、を備え、
前記積層部は、前記前側ベルト部と前記後側ベルト部に亘って周状に設けられた周状の積層部を、前記上下方向に間隔をあけて複数有することを特徴とするパンツ型使い捨ておむつ。
【請求項１３】
請求項１から１２の何れか１項に記載のパンツ型使い捨ておむつであって、
胴回り開口に沿う前記ベルト部の上端部では、前記伸縮性不織布と前記伸縮性フィルムとが配置されておらず、複数の糸状弾性部材が前記上下方向に間隔をあけて配置されていることを特徴とするパンツ型使い捨ておむつ。
【発明の詳細な説明】
【技術分野】
【０００１】
本発明は、パンツ型使い捨ておむつに関する。
【背景技術】
【０００２】
特許文献１には、前身頃部及び後身頃部（ベルト部）において、肌側シートと非肌側シートの間に伸縮性不織布が配置され、これらのシートが点在する複数の接合部によって接合された使い捨ておむつが開示されている。このような使い捨ておむつにおいて、伸縮性不織布が横方向に収縮すると、横方向に隣り合う溶着部の間で、肌側シートが肌側に向かって突出し、非肌側シートが非肌側に向かって突出し、襞（凸部）が形成される。一方、伸縮性不織布を構成する繊維は厚さ方向に広がり、襞を支持するクッションとなる。そのため、襞が簡単に凹んでしまうことを抑制できる。
【先行技術文献】
【特許文献】
【０００３】
【特許文献１】特開２０１８‐０００４７８号
【発明の概要】
【発明が解決しようとする課題】
【０００４】
しかし、特許文献１のおむつでは、伸縮性不織布を構成する繊維が、肌側又は非肌側の一方側に偏って広がったり、肌側と非肌側に同程度に広がったりと、凸部によって広がり方にばらつきが生じていた。このように、凸部の大きさ及びクッション性にばらつきが生じていると、着用者への肌当たりが不均一となり、おむつの着け心地が低下してしまう。
【０００５】
本発明は、上記のような問題に鑑みてなされたものであって、パンツ型使い捨ておむつのベルト部において厚さ方向の一方側に突出する凸部の大きさ及びクッション性のばらつきを抑制することを目的とする。
【課題を解決するための手段】
【０００６】
上記目的を達成するための主たる発明は、互いに交差する上下方向と左右方向と前後方向を有し、ベルト部と、吸収性本体と、を備えたパンツ型使い捨ておむつであって、前記ベルト部は、その厚さ方向の一方側から、第１非伸縮性シートと、伸縮性不織布と、伸縮性フィルムと、第２非伸縮性シートとが積層された積層部を有し、前記伸縮性不織布、及び、前記伸縮性フィルムは、前記左右方向に伸縮し、前記伸縮性不織布は、伸縮性繊維と、非伸縮性繊維とを含み、前記積層部は、前記伸縮性不織布が前記左右方向に伸長している状態で前記第１非伸縮性シートに接合されている接合部を、前記左右方向に間隔をあけて複数有することを特徴とするパンツ型使い捨ておむつとする。
本発明の他の特徴については、本明細書及び添付図面の記載により明らかにする。
【発明の効果】
【０００７】
本発明によれば、パンツ型使い捨ておむつのベルト部において厚さ方向の一方側に突出する凸部の大きさ及びクッション性のばらつきを抑制することができる。
【図面の簡単な説明】
【０００８】
【図１】パンツ型使い捨ておむつ１の概略斜視図である。
【図２】展開且つ伸長状態のおむつ１の概略平面図である。
【図３】図２のＩ−Ｉ線での概略断面図である。
【図４】図４Ａは積層部３０の概略断面図であり、図４Ｂは非配置部５０の概略断面図である。
【図５】接合部４０，４１の説明図である。
【図６】図６Ａ〜図６Ｃは変形例の積層部３０の概略断面図である。
【図７】図７Ａ〜図７Ｃはおむつ１を着用した状態を示す概念図である。
【発明を実施するための形態】
【０００９】
本明細書及び添付図面の記載により、少なくとも以下の事項が明らかとなる。
すなわち、互いに交差する上下方向と左右方向と前後方向を有し、ベルト部と、吸収性本体と、を備えたパンツ型使い捨ておむつであって、前記ベルト部は、その厚さ方向の一方側から、第１非伸縮性シートと、伸縮性不織布と、伸縮性フィルムと、第２非伸縮性シートとが積層された積層部を有し、前記伸縮性不織布、及び、前記伸縮性フィルムは、前記左右方向に伸縮し、前記伸縮性不織布は、伸縮性繊維と、非伸縮性繊維とを含み、前記積層部は、前記伸縮性不織布が前記左右方向に伸長している状態で前記第１非伸縮性シートに接合されている接合部を、前記左右方向に間隔をあけて複数有することを特徴とするパンツ型使い捨ておむつである。
【００１０】
このようなパンツ型使い捨ておむつによれば、伸縮性不織布が収縮して厚さ方向に広がる際に、第２非伸縮性シート側への広がりを伸縮性フィルムによって規制できる。そのため、第１非伸縮性シートの凸部内に、同程度の量の伸縮性不織布を充填できる。よって、厚さ方向の一方側に突出する凸部の大きさ及びクッション性のばらつきを抑制でき、ベルト部の着け心地が向上する。
【００１１】
かかるパンツ型使い捨ておむつであって、前記積層部は、前記伸縮性不織布、及び、前記伸縮性フィルムが前記左右方向に伸長している状態で互いに接合されている第２の接合部を、前記左右方向に間隔をあけて複数有することを特徴とするパンツ型使い捨ておむつである。
【００１２】
このようなパンツ型使い捨ておむつによれば、左右方向に隣り合う第２の接合部の間で、伸縮性不織布が厚さ方向に広がりやすくなるため、凸部の大きさ及びクッション性を高めることができる。
【００１３】
かかるパンツ型使い捨ておむつであって、前記積層部は、前記伸縮性フィルムが前記左右方向に伸長している状態で前記第２非伸縮性シートに接合されている第３の接合部を、前記左右方向に間隔をあけて複数有することを特徴とするパンツ型使い捨ておむつである。
【００１４】
このようなパンツ型使い捨ておむつによれば、左右方向に隣り合う第３の接合部の間で、第２非伸縮性シートがたくれるため、視覚的に柔らかいベルト部である印象をユーザーに付与できる。
【００１５】
かかるパンツ型使い捨ておむつであって、前記接合部、前記第２の接合部、及び前記第３の接合部の前記左右方向の各位置が揃っていることを特徴とするパンツ型使い捨ておむつである。
【００１６】
このようなパンツ型使い捨ておむつによれば、左右方向に隣り合う接合部の間で、伸縮性不織布が厚さ方向に広がりやすくなるため、凸部の大きさ及びクッション性を高めることができる。
【００１７】
かかるパンツ型使い捨ておむつであって、前記接合部、前記第２の接合部、及び前記第３の接合部は、溶着によって接合されており、前記第１非伸縮性シートと、前記伸縮性不織布と、前記伸縮性フィルムと、前記第２非伸縮性シートのうちの少なくとも１つは、ポリプロピレン樹脂を含有することを特徴とするパンツ型の使い捨ておむつである。
【００１８】
このようなパンツ型使い捨ておむつによれば、接合部の位置を容易に揃えることができる。また、接合部での溶着強度を高めることができ、厚さ方向の一方側に突出する凸部が維持されやすくなる。
【００１９】
かかるパンツ型使い捨ておむつであって、前記積層部において、前記接合部は前記上下方向に間隔をあけて複数配置されていることを特徴とするパンツ型使い捨ておむつである。
【００２０】
このようなパンツ型使い捨ておむつによれば、ベルト部が上下方向に変形しやすくなり、着用者の下腹部や臀部の膨らみに沿ってフィットしやすく、ベルト部の着け心地が向上する。
【００２１】
かかるパンツ型使い捨ておむつであって、前記左右方向に隣り合う前記接合部の間隔が一定であり、前記上下方向に隣り合う前記接合部の間隔が一定であることを特徴とするパンツ型使い捨ておむつである。
【００２２】
このようなパンツ型使い捨ておむつによれば、厚さ方向の一方側に突出する凸部の大きさ及びクッション性をより均一化することができる。
【００２３】
かかるパンツ型使い捨ておむつであって、前記厚さ方向の前記一方側は、着用者の肌側であることを特徴とするパンツ型使い捨ておむつである。
【００２４】
このようなパンツ型使い捨ておむつによれば、大きさ及びクッション性が均一化された凸部が着用者の肌に接触するため、ベルト部の着け心地の良さが実感されやすい。
【００２５】
かかるパンツ型使い捨ておむつであって、前記厚さ方向の前記一方側は、着用者の非肌側であることを特徴とするパンツ型使い捨ておむつである。
【００２６】
このようなパンツ型使い捨ておむつによれば、大きさ及びクッション性が均一化された凸部が着用者の衣服に接触するため、衣服とベルト部の擦れのばらつきを抑制でき、着用時の違和感を軽減できる。
【００２７】
かかるパンツ型使い捨ておむつであって、前記ベルト部は、前記伸縮性フィルムが配置されていない非配置部を有し、前記非配置部は、前記伸縮性不織布が前記左右方向に伸長している状態で、前記第１非伸縮性シート及び前記第２非伸縮性シートに接合されている第４の接合部を、前記左右方向に間隔をあけて複数有することを特徴とするパンツ型使い捨ておむつである。
【００２８】
このようなパンツ型使い捨ておむつによれば、非配置部において、ベルト部内の湿った空気を厚さ方向の外部へ放出でき、ベルト部内の蒸れを軽減できる。また、非配置部においても、伸縮性不織布が充填されたクッション性のある凸部が形成されるため、ベルト部の着け心地が向上する。
【００２９】
かかるパンツ型使い捨ておむつであって、前記ベルト部は、着用者の腹側に配置される前側ベルト部と、着用者の背側に配置される後側ベルト部と、前記前側ベルト部の前記左右方向の両側部と前記後側ベルト部の前記左右方向の両側部とが係止された一対の係止部と、を備え、前記上下方向に前記係止部と重複する前記ベルト部の部位において、前記積層部の面積の方が前記非配置部の面積よりも小さいことを特徴とするパンツ型使い捨ておむつである。
【００３０】
このようなパンツ型使い捨ておむつによれば、非配置部において、ベルト部内の湿った空気を厚さ方向の外部へ放出でき、ベルト部内の蒸れを軽減できる。
【００３１】
かかるパンツ型使い捨ておむつであって、前記ベルト部は、着用者の腹側に配置される前側ベルト部と、着用者の背側に配置される後側ベルト部と、を備え、前記積層部は、前記前側ベルト部と前記後側ベルト部に亘って周状に設けられた周状の積層部を、前記上下方向に間隔をあけて複数有することを特徴とするパンツ型使い捨ておむつである。
【００３２】
このようなパンツ型使い捨ておむつによれば、ベルト部の積層部が着用者の胴回りに部分的に密着するため、おむつのずれ落ちを抑制しつつ、過度な圧迫感を与えてしまうことを抑制できる。また、周状の積層部の間において、ベルト部内の湿った空気を厚さ方向の外部へ放出でき、ベルト部内の蒸れを軽減できる。
【００３３】
かかるパンツ型使い捨ておむつであって、胴回り開口に沿う前記ベルト部の上端部では、前記伸縮性不織布と前記伸縮性フィルムとが配置されておらず、複数の糸状弾性部材が前記上下方向に間隔をあけて配置されていることを特徴とするパンツ型使い捨ておむつである。
【００３４】
このようなパンツ型使い捨ておむつによれば、ベルト部の上端部は局所的に着用者に密着でき、おむつのずれ落ちを抑制できる。
【００３５】
＝＝＝実施形態＝＝＝
以下、パンツ型使い捨ておむつとして、大人向けのパンツ型使い捨ておむつを例に挙げて実施形態を説明する。ただしこれに限定されず、本発明に係るパンツ型使い捨ておむつは、例えば子供向け（乳幼児用）の使い捨ておむつや生理用ショーツ等としても適用できる。
【００３６】
＜＜おむつ１の基本構成＞＞
図１は、パンツ型使い捨ておむつ１（以下、おむつ１ともいう）の概略斜視図である。図２は、展開且つ伸長状態のおむつ１の概略平面図である。なお、おむつ１の伸長状態とは、おむつ１を皺なく伸長させた状態であり、おむつ１を構成する各部材（例えば外装体２０を構成するシート等）の寸法がその部材単体の寸法と一致又はそれに近い長さになるまで伸長した状態である。図３は、図２のＩ−Ｉ線（左右方向の中央）での概略断面図である。
【００３７】
おむつ１は、互いに交差する上下方向、左右方向、及び、前後方向を有するとともに、図３に示すように、各部材が積層された厚さ方向を有する。上下方向において、着用者の胴側となる側を上側とし、着用者の股下となる側を下側とする。前後方向において、着用者の腹側となる側を前側とし、着用者の背側となる側を後側とする。厚さ方向において、着用者に接する側を肌側とし、その反対側を非肌側とする。
【００３８】
おむつ１は、吸収性本体１０と、吸収性本体１０の非肌側に位置する外装体２０とを有している。外装体２０は、着用者の腹側に配置される前側ベルト部２１（ベルト部）と、着用者の背側に配置される後側ベルト部２２（ベルト部）と、それらを繋ぐ股下部２３とを有している。
【００３９】
なお、本実施形態のおむつ１では外装体２０が３部材（前側ベルト部２１、後側ベルト部２２、及び、股下部２３）から構成されているが、これに限らない。例えば、前側ベルト部２１、後側ベルト部２２、及び、股下部２３が連続した１部材で構成されていてもよい。また、股下部２３を有さない構成としてもよい。
【００４０】
図２に示す展開状態のおむつ１では、吸収性本体１０の長手方向の一端側に、前側ベルト部２１が位置し、吸収性本体１０の長手方向の他端側に、後側ベルト部２２が位置している。展開状態のおむつ１において、吸収性本体１０が長手方向の略中央で２つ折りされ、前側ベルト部２１の左右方向の両側部と後側ベルト部２２の左右方向の両側部とが溶着等で係止され、一対の係止部２４が形成されることにより、図１に示すパンツ型となる。つまり、吸収性本体１０の長手方向がおむつ１の上下方向に沿い、前側ベルト部２１と後側ベルト部２２とが環状につながり、その上端に胴回り開口１ａが形成され、また、左右方向の両側に一対の脚回り開口１ｂが形成される。
【００４１】
吸収性本体１０は、図３に示すように、吸収性コア１１と、吸収性コア１１の肌側に位置する液透過性のトップシート１２と、吸収性コア１１の非肌側に位置するバックシート１３とを有している。本実施形態のバックシート１３は、液不透過性シート１３ａ、及び、その非肌側に配された液透過性シート１３ｂの二層構造である。
【００４２】
吸収性コア１１は、尿等の排泄液を吸収して保持する部材であり、例えば高吸収性ポリマー（ＳＡＰ）が混入したパルプ繊維等の液体吸収性繊維により形成される。図示しないが、吸収性コア１１は、ティッシュペーパーや不織布等の液透過性のシートによって、外周面が覆われていてもよい。
【００４３】
前側ベルト部２１、及び、後側ベルト部２２は、それぞれ図２に示すように、上下方向において係止部２４と重複する部位である胴回り領域２１１，２２１と、胴回り領域２１１，２２１よりも下側の股下側領域２１２，２２２とを有している。
【００４４】
股下側領域２１２，２２２は略台形形状を成し、下側に向かうにつれて横幅（左右方向の長さ）が狭くなっている。また、前側ベルト部２１に比べて後側ベルト部２２の方が、股下側領域２２２が大きく、着用者の臀部を被覆可能となっている。
【００４５】
前側ベルト部２１、後側ベルト部２２、股下部２３は、それぞれ図３に示すように、肌側シート２１３，２２３，２３１と、非肌側シート２１４，２２４，２３２と、それらの間に位置する伸縮性不織布２１５，２２５，２３３とを有している。
【００４６】
＜＜ベルト部の積層部３０について＞＞
図４Ａは、積層部３０の概略断面図であり、図４Ｂは、非配置部５０の概略断面図である。図５は、接合部４０〜４３の説明図である。図６Ａ〜図６Ｃは、変形例の積層部３０の概略断面図である。
【００４７】
前側ベルト部２１及び後側ベルト部２２（以下、合わせて「ベルト部」ともいう）は、図３や図４Ａに示すように、その厚さ方向の肌側から、肌側シート２１３，２２３と、伸縮性不織布２１５，２２５と、伸縮性フィルム３１と、非肌側シート２１４，２２４とが積層された「積層部３０」を有する。ただし、積層部３０は４層構造に限定されず、別のシートが積層されていたり、４層シートの一部が折り返されていたりと、５層以上の構成であってもよい。
【００４８】
伸縮性不織布２１５，２２５及び伸縮性フィルム３１は、少なくともおむつ１の左右方向に伸縮するシートである。一方、肌側シート２１３，２２３及び非肌側シート２１４，２２４は、実質的に伸縮しない非伸縮性シートである。また、伸縮性不織布２１５，２２５は、伸縮性繊維と、非伸縮性繊維（すなわち伸縮性繊維よりも収縮性の低い伸長性繊維）とを含む不織布である。
【００４９】
肌側シート２１３，２２３及び非肌側シート２１４，２２４としては、スパンボンド不織布やＳＭＳ不織布等により形成された柔軟なシートを例示できる。
【００５０】
伸縮性不織布２１５，２２５としては、弾性を有する熱可塑性エラストマーの一種であるポリウレタン系エラストマーの伸縮性繊維、及び、非弾性を有する熱可塑性樹脂の一種であるポリオレフィン系樹脂のポリプロピレン（ＰＰ）の非伸縮性繊維に、ギア延伸等の適宜な延伸処理が施された不織布を例示できる。延伸処理は、互いに直交する方向（おむつ１の左右方向及び上下方向）に延伸処理を行うものであってもよいし、所定方向（おむつ１の左右方向）にのみ延伸処理を行うものであってもよい。なお、所定方向にのみ延伸処理を行った場合、所定方向の伸縮性が発現されるが、すべての繊維の配向が所定方向に沿っているとは限らないため、所定方向と直交する方向にも伸縮性が発現される。
【００５１】
伸縮性フィルム３１としては、ウレタンやスチレンのようなエストラマー樹脂を溶融し、均一厚さのシート状とした伸縮性を有する弾性部材を例示できる。また、例えば、エラストマー層の表面と裏面にポリオレフィン層を一体化した伸縮性フィルムでもよい。この伸縮性フィルムを用いる場合は、ポリオレフィン層が伸縮性を持たないため、予めフィルムに延伸をかけることで伸縮性を発現させることができる。表面にポリオレフィン層があることで、ポリオレフィン繊維不織布との溶着がしやすくなるという利点がある。
【００５２】
そして、積層部３０は、図４Ａや図５に示すように、伸縮性不織布２１５，２２５及び伸縮性フィルム３１がおむつ１の左右方向に伸長している状態で、積層部３０を構成する４層のシートが接合された「接合部４０」を左右方向に間隔をあけて複数有する。
【００５３】
そのため、おむつ１が左右方向に収縮した状態、例えば、ベルト部２０，３０の胴回り開口が広げられて装着された後に、ベルト部２０，３０が着用者の胴回りにフィットした状態において、積層部３０は図４Ａに示すようになる。すなわち、左右方向に隣り合う接合部４０の間において、非伸縮性の肌側シート２１３，２２３及び非肌側シート２１４，２２４はたくれて、厚さ方向の外側に突出した凸部を形成する。一方、伸縮性不織布２１５，２２５は、伸縮性繊維が非伸縮性繊維を絡めつつ（集めつつ）収縮するため、厚さ方向に広がる（膨らむ）。
【００５４】
この時、肌側シート２１３，２２３及び非肌側シート２１４，２２４の間に伸縮性フィルム３１が配置されていないと、図４Ｂに示すようになる。すなわち、伸縮性不織布２１５，２２５を構成する繊維が、肌側又は非肌側に偏って集まったり、肌側と非肌側の両側に同程度に集まったりする。そうすると、凸部によって厚さ方向の一方側への広がり方にバラツキが生じ、着用者への肌当たりが不均一となってしまう。
【００５５】
これに対して、積層部３０では、肌側シート２１３，２２３及び非肌側シート２１４，２２４の間に伸縮性フィルム３１が配置されている。伸縮性フィルム３１は平坦状に収縮する。そのため、伸縮性フィルム３１によって、厚さ方向の他方側（ここでは非肌側）への伸縮性不織布２１５，２２の広がりが規制され、厚さ方向の一方側（ここでは肌側）に、伸縮性不織布２１５，２２５を構成する繊維が収縮して集まる。つまり、肌側シート２１３，２２３の凸部内の空間に、伸縮性不織布２１５，２２５を構成する同程度の量の繊維が充填される。その結果、図４Ａに示すように、厚さ方向の肌側に突出する凸部の大きさ（嵩）を均一化できる。また、肌側に突出した凸部は同程度の量の繊維に支持されるため、潰れにくく、凸部のクッション性（形状回復性）が均一化される。よって、積層部３０の着用者への肌当たりを良くすることができる。
【００５６】
特に、伸縮性不織布２１５，２２５が伸縮性フィルム３１よりも着用者の肌側（厚さ方向の一方側）に配置されている場合、肌側シート２１３，２２３（第１非伸縮性シート）による均一な大きさ及びクッション性である凸部が着用者の肌に直接接触する。そのため、積層部３０の肌当たりの良さが着用者に実感されやすくなる。また、肌側に突出した凸部の間の凹部が通気路となるため、ベルト部２１，２２の上下方向の通気性が向上し、ベルト部２１，２２内の蒸れを軽減できる。
【００５７】
ただし、上記に限らず、伸縮性不織布２１５，２２５が伸縮性フィルム３１よりも着用者の非肌側（厚さ方向の一方側）に配置されていてもよい（不図示）。この場合、非肌側シート２１４，２２４（第１非伸縮性シート）により非肌側に凸部が形成されるが、その凸部の大きさ及びクッション性が均一化されることで、積層部３０の着用者への肌当たりを良くすることができる。詳しくは、非肌側に突出した凸部と着用者の衣服との擦れ（接地面積）が均一化されるため、着用時の違和感を軽減できる。また、この場合、均一な高さの凸部がユーザーに視認されやすくなる。そのため、視覚的に、柔らかいおむつ１である印象をユーザーに付与できる。
【００５８】
また、伸縮性フィルム３１は、伸縮性不織布２１５、２２５よりも厚さ方向における剛性が高いことが好ましい。そうすることで、伸縮性フィルム３１は厚さ方向に変形し難くなり、厚さ方向の他方側（非肌側）への伸縮性不織布２１５，２２５の広がりをより規制することができる。よって、肌側シート２１３，２２３の凸部内の空間に、伸縮性不織布２１５，２２５を構成する同程度の量の繊維を充填でき、凸部の大きさ及びクッション性をより均一化することができる。
【００５９】
伸縮性フィルム３１及び伸縮性不織布２１５，２２５の剛性の比較は周知の方法で確認できる。例えば、測定対象のおむつから伸縮性フィルム３１及び伸縮性不織布２１５，２２５を切り出してサンプルとする。そして、サンプル毎に、自然状態（無負荷状態）でのサンプルの厚さと、一定荷重を掛けた状態でのサンプルの厚さとを測定し、その差を算出する。厚さの差が小さいサンプルの方が、変形量が小さく、剛性が高いことが分かる。
【００６０】
また、積層部３０では、４層シートのうち、少なくとも伸縮性不織布２１５，２２５と伸縮性不織布２１５，２２５に隣接する非伸縮性シート（ここでは肌側シート２１３，２２３）とが、おむつ１の左右方向に間隔をあけて接合されていればよい。
【００６１】
例えば、図６Ａに示すように、伸縮性不織布２１５，２２５と伸縮性フィルム３１を接合する接合部４２が左右方向に連続し、かつ、伸縮性フィルム３１と非肌側シート２１４，２２４を接合する接合部４３も左右方向に連続していてもよい。この場合にも、伸縮性フィルム３１よりも肌側に、伸縮性不織布２１５，２２５を構成する繊維が広がるため、肌側に突出する凸部の大きさ及びクッション性を均一化できる。
【００６２】
ただし、図６Ｂに示すように、積層部３０において、伸縮性不織布２１５，２２５及び伸縮性フィルム３１が左右方向に伸長している状態で互いに接合されている接合部４２（第２の接合部）を、左右方向に間隔をあけて複数配置することが好ましい。そうすることで、左右方向に隣り合う接合部４２の間で、伸縮性不織布２１５，２２５を構成する繊維が厚さ方向に広がりやすくなる。そのため、肌側に突出する凸部の大きさ及びクッション性を高めることができる。また、剛性の高い接合部４２の面積が小さくなるため、積層部３０を柔らかくすることができ、着用者への肌当たりをより良くすることができる。
【００６３】
また、図４Ａに示すように、積層部３０において、伸縮性フィルム３１が左右方向に伸長している状態で、伸縮性フィルム３１に隣接する非伸縮性シート（非肌側シート２１４，２２４（第２非伸縮性シート））を接合する接合部４３（第３の接合部）を、左右方向に間隔をあけて複数配置することが好ましい。そうすることで、左右方向に隣り合う接合部４３の間で、非肌側シート２１４，２２４がたくれるため、視覚的に、柔らかいおむつ１である印象をユーザーに付与できる。又は、伸縮性フィルム３１が非肌側シート２１４，２２４に連動してたくれてしまうことを抑制でき、伸縮性フィルム３１が平坦状に収縮しやすくなるともいえる。そのため、伸縮性フィルム３１よりも肌側に伸縮性不織布２１５，２２５が広がりやすくなり、肌側に突出する凸部の大きさ及びクッション性を均一化できる。また、剛性の高い接合部４３の面積が小さくなるため、積層部３０を柔らかくすることができ、着用者への肌当たりをより良くすることができる。
【００６４】
つまり、積層部３０を構成する４層のシートは、それぞれ厚さ方向に隣り合うシートと左右方向に間欠に接合されていることが好ましい。
【００６５】
その場合、例えば、図６Ｃに示すように、肌側シート２１３，２２３と伸縮性不織布２１５，２２５を接合する接合部４０と、伸縮性不織布２１５，２２５と伸縮性フィルム３１を接合する接合部４２（第２の接合部）の左右方向の位置がずれていてもよい。この場合にも、伸縮性フィルム３１よりも肌側に、伸縮性不織布２１５，２２５が広がるため、肌側に突出する凸部の大きさ及びクッション性を均一化できる。
【００６６】
ただし、図４Ａに示すように、肌側シート２１３，２２３と伸縮性不織布２１５，２２５を接合する接合部４０、伸縮性不織布２１５，２２５と伸縮性フィルム３１を接合する接合部４２（第２の接合部）、及び、伸縮性フィルム３１と非肌側シート２１４，２２４を接合する接合部４３（第３の接合部）の左右方向の各位置が揃っていることが好ましい。
【００６７】
そうすることで、伸縮性不織布２１５，２２５が厚さ方向に広がりやすくなるため、肌側に突出する凸部の大きさ及びクッション性を高めることができる。また、溶着で形成された接合部４０，４２，４３はフィルム化するため、接合されていない部位に比べて、厚さ方向の通気性が低い。そのため、接合部４０，４２，４３の位置が揃っていることで、接合されていない部位での厚さ方向への空気の流れがスムーズとなる。よって、ベルト部２１，２２内の湿った空気を厚さ方向の非肌側へ効率良く放出できる。より好ましくは、接合部４０，４２，４３の上下方向の位置も揃っているとよく、その場合、より効率的に湿った空気を非肌側に放出できる。
【００６８】
積層部３０の接合部４０，４２，４３の接合方法としては、接着剤による接合、熱溶着や超音波溶着等の溶着による接合を例示できる。各層の接合部４０，４２，４３の位置を揃える場合、溶着によって接合するとよい。そうすることで、積層部３０を構成する４層のシートを同時にかつ同一の溶着パターンによって接合できる。そのため、容易に（短時間で）確実に各層の接合部４０，４２，４３の位置を揃えることができる。
【００６９】
また、接合部４０，４２，４３を溶着によって接合する場合、積層部３０を構成する４層のシートのうちの少なくとも１つは、ポリプロピレン（ＰＰ）樹脂を含有することが好ましい。そうすることで、接合部４０，４２，４３における溶着強度を高めることができ、接合部４０，４２，４３の剥離を抑制できる。よって、厚さ方向の一方側（肌側）に突出する凸部が維持されやすくなる。
【００７０】
また、接合部４０，４２，４３では、接合されていない部位に比べて剛性が高くなる。そのため、おむつ１の左右方向に接合部４０が長く延びていると、積層部３０が左右方向に変形し難くなる。よって、積層部３０を構成する４層のシートが左右方向に間欠に接合されていることが好ましい。そうすることで、積層部３０が左右方向に変形しやすくなり、ベルト部２１，２２が着用者の胴回りに沿ってフィットしやすくなる。
【００７１】
同様に、接合部４０，４２，４３は、おむつ１の上下方向においても間隔をあけて複数配置されていることが好ましい。そうすることで、積層部３０が上下方向に変形しやすくなり、ベルト部２１，２２が着用者の下腹部や臀部の膨らみに沿ってフィットしやすくなる。また、剛性の高い接合部４０，４２，４３が上下方向に間欠に配置されていることで、積層部３０を柔らかくすることができ、着用者への肌当たりをより良くできる。
【００７２】
さらに、図５に示すように、おむつ１の左右方向に隣り合う接合部４０，４２，４３の間隔Ｗ１が一定であり、おむつ１の上下方向に隣り合う接合部４０，４２，４３の間隔Ｗ２が一定であることが好ましい。そうすることで、厚さ方向の一方側（肌側）に突出する凸部内の空間に、伸縮性不織布２１５，２２５を構成する同程度の量の繊維を充填でき、凸部の大きさ及びクッション性をより均一化できる。なお、積層部３０が有する複数の接合部４０，４２，４３の少なくとも一部において間隔が一定であればよく、好ましくは全ての接合部４０，４２，４３の間隔が一定であるとよい。
【００７３】
また、ベルト部２１，２２は、図３に示すように、積層部３０を有するとともに、伸縮性フィルム３１が配置されていない「非配置部５０」を有していてもよい。非配置部５０では、肌側シート２１３，２２３と非肌側シート２１４，２２４の間に伸縮性不織布２１５，２２５が配置されているものとする。
【００７４】
伸縮性フィルム３１は伸縮性不織布２１５，２２５に比べると厚さ方向における通気性が良くない。そのため、ベルト部２１，２２に部分的に伸縮性フィルム３１（積層部３０）を配置することで、ベルト部２１，２２内の湿った空気を非配置部５０から厚さ方向の非肌側に放出でき、ベルト部２１，２２内の蒸れを抑制できる。
【００７５】
また、非配置部５０も、伸縮性不織布２１５，２２５が左右方向に伸長している状態で、肌側シート２１３，２２３及び非肌側シート２１４，２２４に接合されている接合部４１（第４の接合部）を、左右方向に間隔をあけて複数有することが好ましい。
【００７６】
そうすることで、図４Ｂに示すように、非配置部５０においても、左右方向に隣り合う接合部４１の間で、肌側シート２１３，２２３及び非肌側シート２１４，２２４がたくれて凸部が形成され、伸縮性不織布２１５，２２５が厚さ方向に広がる。そのため、非配置部５０に形成された凸部のクッション性が高まる。
【００７７】
ただし、非配置部５０では、積層部３０に比べると、厚さ方向の一方側に突出する凸部の大きさにバラツキが生じる。しかし、非配置部５０には伸縮性フィルム３１が配置されていないため、非配置部５０は、積層部３０に比べて、おむつ着用時の圧力（締め付け圧力）が低い。すなわち、単位幅（上下方向の単位長さ当たり）の非配置部５０を左右方向に単位長さ伸長させる力は、単位幅の積層部３０を左右方向に単位長さ伸長させる力よりも小さく、非配置部５０は積層部３０に比べて着用者への密着度が弱い。そのため、非配置部５０において凸部の大きさ及びクッション性にバラツキが生じていても、そのことを着用者は感じ難く、おむつ１の着け心地の低下を抑制できる。逆にいえば、積層部３０は、着用者への密着度が強いので、凸部の大きさ及びクッション性を均一化することで、おむつ１の着け心地を良くすることができる。
【００７８】
また、積層部３０と同様に、非配置部５０においても、肌側シート２１３，２２３と伸縮性不織布２１５，２２５を接合する接合部と、伸縮性不織布２１５，２２５と非肌側シート２１４，２２４を接合する接合部の各位置が揃っているとよい。そうすることで、非配置部５０が柔らかくなり、かつ、フィルム化された接合部４１に比べて厚さ方向への通気性が向上する。
【００７９】
また、前側ベルト部２１と後側ベルト部２２を係止する一対の係止部２４と上下方向に重複するベルト部２１，２２の部位（胴回り領域２１１，２２１）において、積層部３０の面積の方が非配置部５０の面積よりも小さいことが好ましい。
【００８０】
そうすることで、ベルト部２１，２２の積層部３０が着用者の胴回りに部分的に密着するため、おむつ１の位置ずれを抑制しつつ、着用者に過度な圧迫感を与えてしまうことを防止できる。また、非配置部５０の面積が大きいことで、ベルト部２１，２２内の蒸れをより抑制できる。なお、積層部３０と非配置部５０の面積比較は周知の方法で行うとよい。例えば、目視による方法や、面積算出ソフトを利用する方法等で比較できる。
【００８１】
図７Ａ〜図７Ｃは、おむつ１を着用した状態を示す概念図である。図７Ａは前側から見た図であり、図７Ｂは、後側から見た図であり、図７Ｃは横から見た図である。なお、図では、第１積層部群３２Ａと第２積層部群３２Ｂを一点鎖線で示している。
【００８２】
積層部３０は、前側ベルト部２１と後側ベルト部２２に亘って周方向に連続して設けられていることが好ましい。そうすることで、前側ベルト部２１及び後側ベルト部２２は着用者の胴回りに連続して密着するため、おむつ１の位置ずれを抑制できる。
【００８３】
さらに、図２に示すように、積層部３０は、前側ベルト部２１及び後側ベルト部２２に周状に設けられた周状の積層部３０ａ，３０ｂを、上下方向に間隔をあけて複数有することが好ましい。すなわち、周状の積層部３０ａ，３０ｂと非配置部５０が上下方向に交互に配置されているとよい。そうすることで、周状の積層部３０ａ，３０ｂの間の非配置部５０により、ベルト部２１，２２内の湿った空気を厚さ方向の非肌側へ放出でき、ベルト部２１，２２内の蒸れを抑制できる。
【００８４】
具体的には、積層部３０は第１積層部群３２Ａと第２積層部群３２Ｂを有し、各積層部群３２Ａ，３２Ｂにおいて、３つの周状の積層部３０ａ，３０ｂ（すなわち３本の伸縮性フィルム３１）が上下方向に間隔を空けて配置されている。また、各積層部群３２Ａ，３２では、前側の３つの積層部３０ａ，３０ｂと、それらに対応する後側の３つの積層部３０ａ，３０ｂが、係止部２４において上下方向の位置が同じになるように配置されている。なお、係止部２４において前側の伸縮性フィルム３１と後側の伸縮性フィルム３１とが完全に一致するに限らず、上下方向に一部ずれていてもよい。
【００８５】
また、第１積層部群３２Ａは、係止部２４において、第２積層部群３２Ｂと離間しているとともに、第２積層部群３２Ｂよりも上側に配置されている。そして、第１積層部群３２Ａは、少なくとも上端が着用者の上前腸骨棘よりも上側になるように配置され、第２積層部群３２Ｂは、少なくとも下端が上前腸骨棘よりも下側になるように配置されていることが好ましい。本実施形態では、第１積層部群３２Ａの下端が上前腸骨棘の上を通る配置になっている。なお、上前腸骨棘は、骨盤最大の骨である腸骨の突起部分であり、腰に手を当てた時に指に触れる出っ張りである。これにより、おむつ１の着用時に、着用者の上前腸骨棘を第１積層部群３２Ａと第２積層部群３２Ｂで挟み込むことができる。よって、着用時のおむつ１の位置ずれを抑制できる。
【００８６】
また、第１積層部群３２Ａは、腹側では下側に凸となるように湾曲しており、背側では後側ベルト部２２の上端部の下方近くでほぼ水平に配置されている。一方、第２積層部群３２Ｂは、腹側ではほぼ水平に配置されており、背側では上側に凸となるように湾曲している。このため、図７Ａ〜図７Ｃに示すように、おむつ１の左右方向の中央Ｃにおいて、背側の第１積層部群３２Ａの下端が、腹側の第１積層部群３２Ａの下端よりも上側に配置されている。同様に、おむつ１の左右方向の中央Ｃにおいて、背側の第２積層部群３２Ｂの下端が、腹側の第２積層部群３２Ｂの下端よりも上側に配置されている。これにより、下腹部を斜め上に締めることができ、腹腔内圧を高めることができる。そのため、骨盤周りの筋肉（腹筋など）の働きを補助でき、骨盤を安定させることができる。
【００８７】
また、図２や図３に示すように、おむつ１の胴回り開口１ａに沿うベルト部の上端部２１６，２２６では、伸縮性不織布２１５，２２５と伸縮性フィルム３１とが配置されておらず、複数の糸状弾性部材２６（例えば糸ゴム等）が上下方向に間隔をあけて配置されていることが好ましい。本実施形態のおむつ１では、厚さ方向の肌側に折り返された非肌側シート２１４，２２４の間に複数の糸状弾性部材２６が配置されている。
【００８８】
そうすることで、ベルト部の上端部２１６，２２６では、伸縮性フィルム３１が配置されておらず、かつ、積層部３０や非配置部５０に比べてシートの積層枚数が少ないため、厚さ方向の通気性が良い。よって、ベルト部２１，２２内の湿った空気を、ベルト部の上端部２１６,２２６から放出でき、ベルト部２１，２２内の蒸れを抑制できる。また、ベルト部の上端部２１６，２２６は、糸状弾性部材２６により局所的にフィットするため、おむつ１のずれ落ちを抑制できる。逆にいえば、積層部３０や非配置部５０は、シート状の伸縮性不織布２１５，２２５や伸縮性フィルム３１によって、着用者に面でフィットできる。よって、着用者の動きを妨げることなく、着用者へのおむつ１のフィット状態が維持される。
【００８９】
ただし、上記に限定されず、例えば、ベルト部２１，２２が非配置部５０を有さず、ベルト部２１，２２の全域、又は、ベルト部の上端部２１６，２２６よりも下方の全域に積層部３０（伸縮性フィルム３１）が配置されていてもよい。また、前側ベルト部２１と後側ベルト部２２の一方にのみ積層部３０が配置されていてもよい。
【００９０】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００９１】
１  おむつ（パンツ型使い捨ておむつ）、
１０  吸収性本体、１１  吸収性コア、
１２  トップシート、１３  バックシート、
２０  外装体、
２１  前側ベルト部（ベルト部）、
２２  後側ベルト部（ベルト部）、
２１３、２２３  肌側シート（第１非伸縮性シート、第２非伸縮性シート）、
２１４、２２４  非肌側シート（第１非伸縮性シート、第２非伸縮性シート）
２１５、２２５  伸縮性不織布、
２３  股下部、２４  係止部、
３０  積層部、３０ａ、３０ｂ  周状の積層部、
３１  伸縮性フィルム、
３２Ａ  第１積層部群、３２Ｂ  第２積層部群、
４０  接合部、４１  接合部、
４２  接合部（第２の接合部）、４３  接合部（第３の接合部）、
５０  非配置部、
【図１】
2020081461.tif 000003
【図２】
2020081461.tif 000004
【図３】
2020081461.tif 000005
【図４】
2020081461.tif 000006
【図５】
2020081461.tif 000007
【図６】
2020081461.tif 000008
【図７】
2020081461.tif 000009